(57)【要約】【課題】光路変換部と画素との必要以上の位置合わせ精度が要求されず各透過電極から特定方向に偏ることなく光を表示方向へと透過させて透過表示時の輝度の低下を抑制できる液晶パネルを提供する。【解決手段】光を透過させる透明電極41、および、透明電極41に隣接し光を反射させる反射電極42を備えた画素23を形成する。反射電極42の背面側に入射する光Ｌを、反射電極42に対して互いに反対側に位置する透明電極41，41側へと誘導する非焦点系のプリズム20を設ける。プリズム20と画素23との必要以上の位置合わせ精度が要求されず、各反射電極42の背面側に入射する光Ｌを、特定方向に偏ることなく各透明電極41から表示方向へと透過させて各透明電極41側で有効に利用し、透過表示時の輝度の低下を抑制できる。【選択図】図１
2009150977.tif 000002
【特許請求の範囲】
【請求項１】
互いに対向配置された一対の基板と、
これら基板の間に介在された光変調層と、
光を透過させる透過電極部、および、この透過電極部に隣接し表示面側から入射する光を反射させるとともに背面側から入射する光を透過させない非透過電極部を備えた複数の画素と、
前記画素の前記非透過電極部に背面側から入射しようとする光を、隣接する前記画素の前記透過電極部側へと誘導する非焦点系の光路変換部と
を具備していることを特徴とする表示素子。
【請求項２】
前記光路変換部は、前記基板のいずれかに取り付けられたプリズム状の光路変換素子である
ことを特徴とする請求項１記載の表示素子。
【請求項３】
前記画素に接続される配線を具備し、
前記光路変換部は、前記配線の一部と平行に連続して形成されている
ことを特徴とする請求項２記載の表示素子。
【請求項４】
前記光路変換部は、前記基板の背面側に設けられた凹部である
ことを特徴とする請求項１記載の表示素子。
【請求項５】
請求項１ないし４いずれか一記載の表示素子と、
この表示素子に背面側から光を照射するバックライトと
を具備していることを特徴とする表示装置。
【発明の詳細な説明】
【技術分野】
【０００１】
本発明は、光を透過させる透過電極部、および、表示側に入射する光を反射させる非透過電極部を備えた画素を有する表示素子およびこれを備えた表示装置に関する。
【背景技術】
【０００２】
表示素子として液晶表示素子を用いた表示装置は、軽量、薄型、低消費電力などの特徴を有するために、ＯＡ機器、情報端末、時計、テレビなどのさまざまな分野に応用されている。
【０００３】
特に、薄膜トランジスタ(ＴＦＴ)素子を用いた液晶表示素子すなわち液晶パネルは、その応答性から携帯電話、テレビジョン受像機やコンピュータなど多くの表示装置として用いられている。
【０００４】
近年、携帯端末の小型軽量化に伴い高精細で視野角の広い表示装置が要求されてきている。
【０００５】
高精細化に対しては、ＴＦＴアレイ構造の微細化により対応がなされている。
【０００６】
一方、広視角化に対しては、ネマティック液晶を用いたＯＣＢ方式、ＭＶＡ方式、ＩＰＳ方式などを用いる表示装置が検討されている。
【０００７】
さらに、近年では、屋外での使用頻度が高まることから、従来の透過表示方式に加え、部分的に反射表示をすることが可能な半透過型液晶方式が実用化されている。
【０００８】
しかしながら、上述の半透過型の液晶パネルは、遮光性の反射電極と透光性の透明電極を有するため、屋内と屋外の双方での視認性に優れているが、反射電極でバックライトからの光が遮られることにより、透過表示時の輝度が低下するという問題を有している。
【０００９】
そこで、上下左右方向に個々に独立したマイクロレンズを有するマイクロレンズアレイを設け、バックライトから反射電極へと照射される光を透明電極に誘導することで、透過率と輝度の改善を図る構成が知られている(例えば、特許文献１参照。)。
【特許文献１】特開２００６−１２６７３２号公報
【発明の開示】
【発明が解決しようとする課題】
【００１０】
しかしながら、上述の表示素子では、個々のマイクロレンズと対をなすように透明電極を形成することが必要となり、液晶パネルとマイクロレンズとの位置合わせ精度が要求されるという問題点を有している。
【００１１】
本発明は、このような点に鑑みなされたもので、光路変換部と画素との必要以上の位置合わせ精度が要求されず各透過電極部から特定方向に偏ることなく光を表示方向へと透過させて透過表示時の輝度の低下を抑制できる表示素子を提供することを目的とする。
【課題を解決するための手段】
【００１２】
本発明は、互いに対向配置された一対の基板と、これら基板の間に介在された光変調層と、光を透過させる透過電極部、および、この透過電極部に隣接し表示面側から入射する光を反射させるとともに背面側から入射する光を透過させない非透過電極部を備えた複数の画素と、一の前記画素の前記非透過電極部に背面側から入射しようとする光を、隣接する前記画素の前記透過電極部側へと誘導する非焦点系の光路変換部とを具備しているものである。
【００１３】
そして、一の画素の非透過電極部の背面側に入射する光を、この非透過電極部に対して互いに反対側に位置する画素の透過電極部側へとそれぞれ誘導する非焦点系の光路変換部を設ける。
【発明の効果】
【００１４】
本発明によれば、光路変換部と画素との必要以上の位置合わせ精度が要求されず、非透過電極部の背面側に入射する光を、特定方向に偏ることなく各透過電極部から表示方向へと透過させて有効に利用し、透過表示時の輝度の低下を抑制できる。
【発明を実施するための最良の形態】
【００１５】
以下、本発明の第１の実施の形態の構成を図１ないし図４を参照して説明する。
【００１６】
図４において、11は表示装置としての液晶表示装置を示し、この液晶表示装置11は、表示素子としての液晶表示素子である液晶パネル12と、この液晶パネル12の背面側に配設された面状光源装置としてのバックライト13とを備え、室内などの暗所ではバックライト13からの光を透過して利用し、屋外などの明所では観察面側からの光を反射して利用する、いわゆる半透過型のものである。
【００１７】
液晶パネル12は、カラー型の液晶パネルであって、基板であるアレイ基板15と基板である対向基板16とを対向配置し、これら基板15，16間に光変調層としての液晶層17および間隙を一定に保持するスペーサを介在させてその周縁部を接着層18により貼り合わせて構成された表示素子本体としての液晶表示素子本体である液晶パネル本体19と、この液晶パネル本体19の背面側であるバックライト13と対向する側に配置された光路変換部としてのプリズム状の光路変換素子である複数のプリズム20とを備え、中央部に位置する四角形状の表示領域22に、図１ないし図３に示す複数の画素23がマトリクス状に配設されている。
【００１８】
アレイ基板15は、例えば透光性を有するガラス基板25を有し、このガラス基板25の液晶層17側(図４中上側)の主面上には、図３に示すように、複数の配線である走査線(ゲート配線)31と複数の配線である信号線(ソース配線)32とが互いに略直交するように格子状に配設され、これら走査線31と信号線32とのそれぞれの交差位置に、スイッチング素子である薄膜トランジスタ(ＴＦＴ)33が設けられ、これらを覆って液晶層17の液晶分子の配向用の図示しない垂直配向膜などの配向膜が形成されている。
【００１９】
薄膜トランジスタ33は、ゲート電極が走査線31と接続され、ソース電極が信号線32と接続されているとともに、ドレイン電極に画素電極35(図１など)が接続されており、走査線駆動回路であるゲートドライバ36からの信号が走査線31を介してゲート電極に印加されることでスイッチング制御され、信号線駆動回路であるソースドライバ37から信号線32を介して入力された信号に対応して画素電極35(図１)に電圧を印加することで、画素23をそれぞれ独立して点灯／消灯させるものである。
【００２０】
各画素電極35は、透過電極部としての透過表示部である透明電極41と、非透過電極部としての反射表示部である反射電極42とを備えている。そして、これら透明電極41と反射電極42とは、各画素23において、互いに電気的に接続され、同一の電圧が印加されるように構成されている。
【００２１】
透明電極41は、例えばＩＴＯ(Indium Tin Oxide)などの透明導電材料により、スパッタリング法などで略四角形状に形成されている。
【００２２】
また、反射電極42は、例えばアルミニウムなどの反射性を有する導電性材料により、スパッタリング法などで略四角形状に形成され、例えば透明電極41と略等しい面積を有している。
【００２３】
さらに、これら透明電極41および反射電極42は、本実施の形態では、図１および図２に示すように、走査線31に対して交差(直交)する方向に隣接している。このため、各画素電極35は、走査線31に対して交差(直交)する方向に長手方向を有している。
【００２４】
一方、対向基板16は、透光性を有するガラス基板45を有し、このガラス基板45上に、図示しないカラーフィルタ層、対向電極、および、図示しない配向膜などが順次積層されている。
【００２５】
対向電極は、表示領域22の画素電極35に対応する位置にて、例えばＩＴＯなどの透明導電材料により、スパッタリング法などで形成されている。
【００２６】
また、液晶層17は、所定の液晶材料により形成された光変調層であり、例えばＴＮモード、ＩＰＳモード、ＭＶＡモード、ホモジニアスモードなど、殆どのモードを使用可能である。
【００２７】
一方、各プリズム20は、例えば感光性アクリル樹脂などの透明な部材により形成された非焦点系の素子であり、液晶パネル本体19の背面側の少なくとも表示領域22に対応する部分、本実施の形態では各反射電極42の背面側に対応する位置で液晶パネル本体19(ガラス基板25)にそれぞれ貼着されている。また、各プリズム20は、走査線31に平行な帯状に連続した連続体として形成されており、液晶パネル本体19に対して離間された頂点20aから図中の上下にそれぞれ傾斜状に形成された傾斜面20b，20cを有する断面略二等辺三角形状をなしている。すなわち、各プリズム20は、図中の上下に線対称な形状となっている。
【００２８】
そして、各プリズム20は、空気と、これらプリズム20を構成する材質との屈折率比ｎ1によって、空気との界面すなわち傾斜面20b，20cが光を屈曲させるように作用する。本実施の形態では、各プリズム20を構成する物質の屈折率が、空気の屈折率よりも大きく設定されている。
【００２９】
したがって、各プリズム20は、バックライト13(図４)から各反射電極42の背面側へと直進して入射する光Ｌを、傾斜面20b，20cのそれぞれに垂直な方向に対して上記屈折率比ｎ1に対応する角度分傾斜させた方向へと図１中の上下両側に屈折させて、同一の画素23の透明電極41および隣接する画素23の透明電極41へと誘導するように構成されている。
【００３０】
また、バックライト13は、ランプなどの光源からの光を導光体である導光板により面状光に変換して、この面状光を、液晶パネル12の背面側全体に照射するものである。
【００３１】
次に、上記第１の実施の形態の動作を説明する。
【００３２】
液晶表示装置11を屋外などの明所で使用する場合(反射表示時)には、バックライト13を消灯した状態で、ゲートドライバ36からの信号により薄膜トランジスタ33を順次駆動し、オンした薄膜トランジスタ33により、画像信号に対応して生成されたソースドライバ37からの信号に対応した電圧を画素電極35(透明電極41および反射電極42)に印加し、この印加した電圧に対応して液晶層17の液晶分子の傾斜角を可変させて、表示側の外部から入射した光を各画素23の反射電極42により反射させることにより、画像が表示される。
【００３３】
一方、液晶表示装置11を室内などの暗所で使用する場合(透過表示時)には、バックライト13を点灯した状態で、上記と同様に画素電極35(透明電極41および反射電極42)に印加し、この印加した電圧に対応して液晶層17の液晶分子の傾斜角を可変させて、バックライト13から入射した光を各画素23の透明電極41を透過させることにより、画像が表示される。
【００３４】
このとき、バックライト13からの光は、液晶パネル12の背面全体に面状に照射されるものの、各プリズム20の傾斜面20b，20cを通過する際に、反射電極42へと入射する光Ｌが、この反射電極42の図１中、上側および下側のそれぞれに位置する各透明電極41へと誘導されることで、透明電極41を透過して表示側に出射される。
【００３５】
上述したように、上記第１の実施の形態では、透過表示時に各反射電極42の背面側に入射する光Ｌを、互いに異なる複数の画素23、例えばその光Ｌが入射する画素23の透明電極41側と、その画素23に隣接する画素23の透明電極41側とのそれぞれに誘導する非焦点系の光路変換部であるプリズム20を設ける構成とした。
【００３６】
例えば反射電極42の背面側に入射する光を屈折させて透明電極側へと誘導する焦点系のマイクロレンズアレイを備えた光路変換素子を用いる従来の場合では、各マイクロレンズの焦点位置などを各画素23の位置と一致させたりする必要があり、高い位置合わせ精度が要求されるのに対して、本実施の形態では、各プリズム20と画素23との必要以上の位置合わせ精度が要求されず、かつ、各反射電極42の背面側に入射する光Ｌを、特定方向に偏ることなく各透明電極41から表示方向正面へと略均等に透過させて有効に利用し、透明電極41側に容易かつ確実に誘導することができ、通常の場合では反射電極42によって反射されて利用されない光Ｌを、透明電極41側で有効に利用して、見かけの透過率を向上し、透過表示時の輝度の低下を抑制できる。
【００３７】
このため、透過表示時には、例えば液晶セル12に表示する画像を、図１中の上側から見た場合と図１中の下側から見た場合とでも、中心位置に対して互いに角度の絶対値が等しければ輝度に殆ど差が生じることがなく、バックライト13からの光により視角方向に応じて視認性が変化することを防止できる。
【００３８】
また、見かけの透過率が向上し、透過表示時の輝度の低下を抑制できることにより、透過表示時でもバックライト13の輝度を必要以上に高くせずに済み、省エネルギーを図ることができる。
【００３９】
しかも、マイクロレンズアレイを用いる従来の場合では、バックライト13からの光も、理想的な平行光(コリメート光)でなければならず、このような平行光を得ることをバックライト13から入射するのは容易でないのに対して、本実施の形態のように、非焦点系のプリズム20を用いることで、バックライト13の配向特性を保ったまま透明電極41に光Ｌを誘導できるので、一般的な製品に用いられる、正面方向に輝度ピークを有する配向特性、すなわちガウス分布的な配向特性を有するバックライト13でも、充分な透過率アップを期待できる。
【００４０】
特に、液晶層17が、液晶パネル12に円偏光板を用いるＭＶＡモードやホモジニアスモードの場合、透過率アップ効果がより大きくなる。
【００４１】
さらに、プリズム20を、走査線31に平行に連続する連続体で形成することで、走査線31と平行な方向への位置合わせ精度を殆ど要求されることがなく設計でき、製造性がより向上する。
【００４２】
次に、第２の実施の形態を図５を参照して説明する。なお、上記第１の実施の形態と同様の構成および作用については、同一符号を付してその説明を省略する。
【００４３】
この第２の実施の形態は、上記第１の実施の形態のプリズム20に代えて、光路変換部としての光路変換素子であるプリズムシート53を、液晶パネル12(ガラス基板25)に貼着したものである。
【００４４】
このプリズムシート53は、図５に示すように、透光性を有する部材によりシート状に形成された光路変換素子本体としての透過部であるシート本体54とこのシート本体54と一体に形成された光路変換部としての複数のプリズム部55とを備えている。そして、このプリズムシート53は、例えば溶融押し出し成形や感光性樹脂材料を用いたインプリント技術などにより形成されている。
【００４５】
各プリズム部55は、上記第２の実施の形態のプリズム20と同様に、非焦点系の光学素子部であり、各反射電極42の背面側に対応する位置に形成され、かつ、走査線31に平行な帯状に連続して形成され、シート本体54に対して頂点55aから図中の上下にそれぞれ傾斜状に形成された傾斜面55b，55cを有する断面略二等辺三角形状をなしている。
【００４６】
そして、液晶表示装置11を屋外などの明所で使用する場合(反射表示時)には、液晶パネル12が上記第１の実施の形態と同様に動作するとともに、液晶表示装置11を室内などの暗所で使用する場合(透過表示時)には、液晶パネル本体19が上記第１の実施の形態と同様に動作し、バックライト13からの光が、液晶パネル12の背面全体に面状に照射されるものの、プリズムシート53の各プリズム部55の傾斜面55b，55cを通過する際に、反射電極42へと入射する光Ｌがこの反射電極42に対して互いに反対側、すなわち、その反射電極42と同一画素23の透明電極41と、その画素23に隣接する画素23の透明電極41とのそれぞれに誘導されることで、透明電極41，41を透過して表示側に出射される。
【００４７】
このように、非焦点系の光学素子であるプリズムシート53の各プリズム部55によって光Ｌを上下両側の互いに異なる透明電極41へ誘導するなど、上記第１の実施の形態と同様の構成を有することにより、上記第１の実施の形態と同様の作用効果を奏することができる。
【００４８】
また、光路変換素子を、シート本体54とプリズム部55とを予め一体に形成したプリズムシート53により構成することで、このプリズムシート53を液晶パネル本体19(ガラス基板25)に貼着するだけで、各プリズム部55が各反射電極42に対応した位置に配置されるので、個々のプリズム部55を独立して位置合わせする場合と比較して、各プリズム部55と各画素23(反射電極42)とを容易に位置合わせできる。
【００４９】
次に、第３の実施の形態を図６および図７を参照して説明する。
【００５０】
この第３の実施の形態は、上記各実施の形態のプリズム20やプリズムシート53に代えて、液晶パネル本体19の背面側であるバックライト13と対向する側に光路変換部としての光路変換素子61を配置したものである。
【００５１】
この光路変換素子61は、例えば感光性アクリル樹脂、石英、ガラスなど、光を透過する部材により形成された非焦点系の板状の素子であり、図６および図７に示すように、液晶パネル本体19の背面側の少なくとも表示領域22に対応する部分、本実施の形態では液晶パネル本体19の背面側全体を覆って、この液晶パネル本体19に貼着されている。また、この光路変換素子61の液晶パネル本体19側の主面には、各画素23の反射電極42に対応する位置に切欠部62がそれぞれ形成されている。このため、各切欠部62と液晶パネル本体19のガラス基板25の背面との間に、所定の媒体を閉じ込めた空間部63がそれぞれ形成されている。
【００５２】
各切欠部62は、底辺側が液晶パネル本体19側に位置する断面二等辺三角形状に形成されており、本実施の形態では、画素電極35の長手方向に交差する方向である走査線31に平行な方向に沿って連続するように形成されている。また、各切欠部62の頂点62aは、反射電極42の図中上下方向の略中心に対応する位置となっている。さらに、各切欠部62の傾斜面62b，62cは、頂点62aから、反射電極42の図中上下端部に対応する位置となっている。
【００５３】
また、各空間部63は、内部に閉じ込めた所定の媒体と光路変換素子61を構成する材質との屈折率比ｎ2によって各切欠部62の界面すなわち傾斜面62b，62cが光を屈曲させるプリズムとして作用するようにするための空間である。このため、各空間部63に閉じ込める媒体としては、例えば光路変換素子61を構成する物質よりも屈折率が小さいものとし、好ましくは空気とする。
【００５４】
したがって、各切欠部62は、バックライト13(図４)から各反射電極42の背面側へと直進して入射する光Ｌを、傾斜面62b，62cに垂直な方向に対して上記屈折率比ｎ2に対応する角度分傾斜させた方向へと屈折させて、同一の画素23の透明電極41、あるいはその画素23に隣接する画素23の透明電極41などへと誘導するように構成されている。
【００５５】
このため、各切欠部62の傾斜面62b，62cの傾斜角度は、空間部63に閉じ込められる媒体の屈折率比ｎ2と、反射電極42までの距離などとに対応して適宜設定する。
【００５６】
そして、液晶表示装置11を屋外などの明所で使用する場合(反射表示時)には、液晶パネル12が上記各実施の形態と同様に動作するとともに、液晶表示装置11を室内などの暗所で使用する場合(透過表示時)には、液晶パネル本体19が上記各実施の形態と同様に動作し、バックライト13からの光が、液晶パネル12の背面全体に面状に照射されるものの、光路変換素子61の各傾斜面62b，62cを通過する際に、反射電極42へと入射する光Ｌがこの反射電極42に対して互いに反対側、すなわち、その反射電極42と同一画素23の透明電極41と、その画素23に隣接する画素23の透明電極41とのそれぞれに誘導されることで、透明電極41を透過して表示側に出射される。
【００５７】
このように、非焦点系の光学素子である光路変換素子61の各切欠部62によって光Ｌを上下両側の透明電極41へ誘導するなど、上記各実施の形態と同様の構成を有することにより、上記各実施の形態と同様の作用効果を奏することができる。
【００５８】
また、空間部63に空気を閉じ込める場合には、流体状の媒体や固体状の媒体を閉じ込める場合と比較して、光路変換素子61を液晶パネル本体19(ガラス基板25)に貼着しやすくなり、製造性が向上する。
【００５９】
そして、光路変換素子としては、プリズムだけでなく、例えば回折格子や反射板など、非焦点系の任意の光学素子を用いることが可能である。
【００６０】
次に、第４の実施の形態を図８および図９を参照して説明する。なお、上記各実施の形態と同様の構成および作用については、同一符号を付してその説明を省略する。
【００６１】
この第４の実施の形態は、上記各実施の形態のプリズム20、プリズムシート53および光路変換素子61に代えて、液晶パネル本体19の背面側であるバックライト13と対向するアレイ基板15のガラス基板25の背面側すなわちバックライト13と対向する主面に、光路変換部としての複数の凹溝部65をそれぞれ形成したものである。
【００６２】
凹溝部65は、各画素23の反射電極42に対応する位置にそれぞれ形成され、図８および図９に示すように、断面多角形状、本実施の形態では、複数の頂点65aと、これら頂点65a間に連続する直線状の複数の傾斜面65bとを有している。また、各凹溝部65は、画素電極35の長手方向に交差する方向である走査線31に平行な方向に沿って連続するように形成されている。なお、傾斜面65b，65bのそれぞれのなす角度は、本実施の形態では９０°よりも大きく１８０°よりも小さい鈍角にそれぞれ設定されている。
【００６３】
したがって、各凹溝部65は、バックライト13(図４)から各反射電極42の背面側へと直進して入射する光Ｌを、各傾斜面65bのそれぞれに垂直な方向に対して、空気とガラス基板25を構成する部材との屈折率比ｎ3に対応する角度分傾斜させた方向へとそれぞれ屈折させて、各凹溝部65全体として例えば同一の画素23の透明電極41およびその画素23に隣接する画素23の透明電極41など、各反射電極42に対して互いに反対側に位置する各透明電極41へと誘導するように構成されている。
【００６４】
このため、各凹溝部65の各傾斜面65bの傾斜角度は、上記屈折率比ｎ3と、反射電極42までの距離などとに対応して適宜設定する。
【００６５】
また、各凹溝部65は、例えばアレイ基板15のガラス基板25の背面側にネガ型感光性レジスト膜を塗布し、アレイ基板15の各反射電極42などの遮光部をマスクとしてレジスト材料をパターニングした後、このパターンをマスクとしてガラス基板25にウェットエッチング処理を施すことにより形成されている。
【００６６】
そして、液晶表示装置11を屋外などの明所で使用する場合(反射表示時)には、液晶パネル12が上記各実施の形態と同様に動作するとともに、液晶表示装置11を室内などの暗所で使用する場合(透過表示時)には、液晶パネル本体19が上記各実施の形態と同様に動作し、バックライト13からの光が、液晶パネル12の背面全体に面状に照射されるものの、各凹溝部65の各傾斜面65bを通過する際に、反射電極42へと入射する光Ｌが、この反射電極42に対して互いに反対側、すなわち上下に位置する各透明電極41へとそれぞれ誘導されることで、各透明電極41を透過して表示側に出射される。
【００６７】
このように、ガラス基板25に設けた非焦点系の凹溝部65によって光Ｌを、この光Ｌが入射しようとする反射電極42に対して互いに反対側である上下に位置する透明電極41へ誘導するなど、上記各実施の形態と同様の構成を有することにより、上記各実施の形態と同様の作用効果を奏することができる。
【００６８】
また、各凹溝部65を液晶パネル12のガラス基板25に直接形成するため、バックライト13側からの光を透明電極41へと導くための別体の素子を必要としないので、製造コストを低減でき、かつ、厚みを薄くできる。
【００６９】
さらに、各凹溝部65を形成する際には、各反射電極42をマスクとしてパターニングしたレジストをマスクとして形成するため、各凹溝部65を各反射電極42に対して容易かつ確実に位置合わせでき、各凹溝部65により光Ｌを各透明電極41へと導く際の精度が向上する。
【００７０】
次に、第５の実施の形態を図１０を参照して説明する。なお、上記各実施の形態と同様の構成および作用については、同一符号を付してその説明を省略する。
【００７１】
この第５の実施の形態は、上記第４の実施の形態の各凹溝部65に代えて、ガラス基板25の背面に光路変換部としての複数の凹溝部67をそれぞれ形成したものである。
【００７２】
すなわち、各凹溝部67は、各画素23の反射電極42に対応する位置にそれぞれ形成され、図１０に示すように、ランダムに形成された複数の凹凸部67aを有する断面多角形状に形成されている。また、各凹溝部67は、画素電極35の長手方向に交差する方向である走査線31に平行な方向に沿って連続するように形成されている。
【００７３】
したがって、各凹溝部65は、バックライト13(図４)から各反射電極42の背面側へと直進して入射する光Ｌを、各凹凸部67aの傾斜面67b，67cのそれぞれに垂直な方向に対して、空気とガラス基板25を構成する部材との屈折率比ｎ3に対応する角度分傾斜させた方向へと屈折させて、同一の画素23の透明電極41、あるいはその画素23に隣接する画素23の透明電極41などへと誘導するように構成されている。
【００７４】
また、各凹溝部67は、例えばアレイ基板15のガラス基板25の背面側にネガ型感光性レジスト膜を塗布し、アレイ基板15の各反射電極42などの遮光部をマスクとしてレジスト材料をパターニングした後、このパターンをマスクとしてガラス基板25にサンドブラスト(ショットブラスト)処理を施すことにより形成されている。
【００７５】
そして、液晶表示装置11を屋外などの明所で使用する場合(反射表示時)には、液晶パネル12が上記各実施の形態と同様に動作するとともに、液晶表示装置11を室内などの暗所で使用する場合(透過表示時)には、液晶パネル本体19が上記各実施の形態と同様に動作し、バックライト13からの光が、液晶パネル12の背面全体に面状に照射されるものの、各凹溝部67の各凹凸部67aの傾斜面67b，67cを通過する際に、反射電極42へと入射しようとする光Ｌが透明電極41へと誘導されることで、透明電極41を透過して表示側に出射される。
【００７６】
このように、ガラス基板25に設けた非焦点系の凹溝部67によって光Ｌを上下両側の透明電極41へ誘導するなど、上記第４の実施の形態と同様の構成を有することにより、上記第４の実施の形態と同様の作用効果を奏することができる。
【００７７】
また、各凹溝部67は、サンドブラスト(ショットブラスト)により形成することで、安価で容易に形成できる。
【００７８】
なお、上記第４の実施の形態および第５の実施の形態において、各凹溝部65，67の形状は、上記形状に限定されるものではなく、例えば切削加工などにより形成してもよい。
【００７９】
また、上記各実施の形態において、非透過電極部としては、バックライト13側から入射する光を反射可能な反射電極42に限らず、バックライト13側からの光を吸収する光吸収部を備えた反射電極など、背面側から入射する光を透過せず、表示側から入射する光を反射させるものであれば、任意に選択できる。
【００８０】
さらに、光変調層は、液晶層17に限定されるものではない。
【００８１】
そして、各プリズム20、プリズムシート53の各プリズム部55、各切欠部62および各凹溝部65，67は、信号線32、あるいは、補助容量線など、他の任意の配線に対して平行に配置しても同様の作用効果を奏することができる。
【００８２】
また、各画素23として例えば同一の画素23内に透明電極41を挟んで反射電極42をそれぞれ形成する場合などには、各光路変換部によって光Ｌを同一の画素23内の各透明電極41に導くようにしてもよい。
【図面の簡単な説明】
【００８３】
【図１】本発明の第１の実施の形態の表示素子の要部を示す説明断面図である。
【図２】同上表示素子の要部を示す正面図である。
【図３】同上表示素子を示す回路図である。
【図４】同上表示素子を備えた表示装置を示す説明断面図である。
【図５】本発明の第２の実施の形態の表示素子の要部を示す説明断面図である。
【図６】本発明の第３の実施の形態の表示素子の要部を示す説明断面図である。
【図７】同上表示素子の要部を示す正面図である。
【図８】本発明の第４の実施の形態の表示素子の要部を示す説明断面図である。
【図９】同上表示素子の要部を示す正面図である。
【図１０】本発明の第５の実施の形態の表示素子の要部を示す説明断面図である。
【符号の説明】
【００８４】
11    液晶表示装置
12    液晶パネル
13    バックライト
15    基板であるアレイ基板
16    基板である対向基板
17    液晶層
20    プリズム
23    画素
31    配線である走査線
41    透明電極
42    反射電極
53    プリズムシート
61    光路変換素子
65，67    凹溝部
【図１】
2009150977.tif 000003
【図２】
2009150977.tif 000004
【図３】
2009150977.tif 000005
【図４】
2009150977.tif 000006
【図５】
2009150977.tif 000007
【図６】
2009150977.tif 000008
【図７】
2009150977.tif 000009
【図８】
2009150977.tif 000010
【図９】
2009150977.tif 000011
【図１０】
2009150977.tif 000012